(57)【要約】【課題】本発明は、梱包対象物の周囲に配置される梱包材自体の寸法を小さくでき、且つ、梱包対象物を梱包した状態で移送される際に特定の部分に荷重が集中しても梱包対象物を良好に保護することができる梱包構造を提供することを目的とする。【解決手段】本発明は、梱包対象物を梱包材によって梱包する梱包構造であって、前記梱包材は、前記梱包対象物を梱包した状態で移送される際に荷重を受ける荷重受け部を有し、前記梱包材は、前記荷重受け部とこの荷重受け部と対向する前記梱包対象物の対向部との間に間隔を空けた状態で前記梱包対象物の周囲に配置され、前記梱包材の荷重受け部と前記梱包対象物の前記対向部との間には、前記梱包材とは別体で構成される緩衝材が配置されることを特徴とする。【選択図】図１
2014151915.tif 000002
【特許請求の範囲】
【請求項１】
梱包対象物を梱包材によって梱包する梱包構造であって、
前記梱包材は、前記梱包対象物を梱包した状態で移送される際に荷重を受ける荷重受け部を有し、
前記梱包材は、前記荷重受け部とこの荷重受け部と対向する前記梱包対象物の対向部との間に間隔を空けた状態で前記梱包対象物の周囲に配置され、
前記梱包材の荷重受け部と前記梱包対象物の前記対向部との間には、前記梱包材とは別体で構成される緩衝材が配置されることを特徴とする梱包構造。
【請求項２】
前記梱包対象物は、前記対向部を側面に有する柱形状を有するものであり、
前記柱形状の梱包対象物の端部を覆う端部被覆材をさらに備え、
前記端部被覆材は、前記梱包対象物の端部に対向して配置される基部と、前記梱包対象物の前記側面を覆うように前記基部から延出する延出部とを有し、
前記梱包材は、前記端部被覆材の前記延出部を覆う状態で前記梱包対象物の周囲に配置されることを特徴とする請求項１記載の梱包構造。
【請求項３】
前記緩衝材は、前記梱包材に固定されることを特徴とする請求項１記載の梱包構造。
【請求項４】
前記梱包対象物は、周囲に前記梱包材が配置されるのに先立って袋で覆われるものであり、
前記緩衝材は、前記梱包対象物を覆う袋に固定することを特徴とする請求項１記載の梱包構造。
【発明の詳細な説明】
【技術分野】
【０００１】
本発明は、例えば貯湯式給湯機などの機器の梱包構造に関するものである。
【背景技術】
【０００２】
一般的に、貯湯式給湯機などの機器を移送する際、機器が変形、破損してしまうのを防止するため、このような機器を梱包対象物として梱包材によって梱包するものである。
【０００３】
梱包材で梱包された梱包対象物は、運搬性や作業性などの種々の理由から、特定の部分に荷重が集中して掛かるような状態で移送されることがあり、その場合には、たとえ梱包材によって梱包された状態であっても、梱包材の荷重が集中して掛かった部分に対応する部分において梱包対象物が損傷してしまうおそれがある。
【０００４】
例えば貯湯式給湯機は、内部にタンクを有するものであり、このタンクの容量を確保するために、背丈が高くなっている。このため、運搬時などに転倒や衝突する場合があり、貯湯式給湯機の変形や破損を防止するため、車輌による運搬時には車輌の荷台に横積みにする場合がある。車輌の荷台に横積みするときは、荷台上を滑らせたり、ずり上げやずり降ろしを行なうため、その際に荷台との摩擦などによって外装が変形や破損する場合があった。
【０００５】
このような問題を解決するため、例えば図４に示すように、貯湯式給湯機の外周に梱包材を１周または複数周重ね巻き後に、更に１／４周重ね巻きするものがある。（例えば特許文献１)
【先行技術文献】
【特許文献】
【０００６】
【特許文献１】特許第４９４８５６０号公報
【発明の概要】
【発明が解決しようとする課題】
【０００７】
しかしながら、特許文献１の梱包構造によれば、例えば貯湯式給湯機の外周に梱包材を１周または複数周重ね巻き後に、更に１／４周重ね巻きするものであるため、梱包対象物を良好に保護することができるものの、梱包材自体が嵩張るものとなってしまう。すると、梱包材自体を運搬、保管する際に場所やコストがかかるという問題がある。
【０００８】
そこで、本発明は、梱包対象物の周囲に配置される梱包材自体の寸法を小さくでき、且つ、梱包対象物を梱包した状態で移送される際に特定の部分に荷重が集中しても梱包対象物を良好に保護することができる梱包構造を提供することを目的とする。
【課題を解決するための手段】
【０００９】
本発明は、例えば貯湯式給湯機などの機器の梱包構造に関するものであって、貯湯式給湯機の外周面との間に空間が形成された状態で貯湯式給湯機を覆う梱包材と、梱包材とは別体で構成される緩衝材とを備え、緩衝材は、給湯機の少なくとも背面と梱包材との間の空間に配置されることを特徴とする梱包構造である。
【発明の効果】
【００１０】
本発明によれば、梱包対象物の周囲に配置される梱包材自体の寸法を小さくでき、且つ、梱包対象物を梱包した状態で移送される際に特定の部分に荷重が集中しても梱包対象物を良好に保護することができる。
【図面の簡単な説明】
【００１１】
【図１】本発明の実施形態に係る梱包構造の概観図。
【図２】本発明の実施形態に係る梱包構造の断面図。
【図３−Ａ】本発明の実施形態に係る梱包構造に用いられる緩衝材の第１の変形例。
【図３−Ｂ】本発明の実施形態に係る梱包構造に用いられる緩衝材の第２の変形例。
【図３−Ｃ】本発明の実施形態に係る梱包構造に用いられる緩衝材の第３の変形例。
【図３−Ｄ】本発明の実施形態に係る梱包構造に用いられる緩衝材の第４の変形例。
【図４】従来の梱包構造の断面図。
【発明を実施するための形態】
【００１２】
本実施形態に係る梱包構造は、図１に示すように、梱包対象物としての貯湯式給湯機１を梱包材３によって梱包する梱包構造であり、この他に端部被覆材４、緩衝材５などで構成されている。
【００１３】
まず、梱包材３は、貯湯式給湯機１を梱包した状態で移送される際に荷重を受ける荷重受け部３ａを有する。荷重受け部３ａは、梱包された貯湯式給湯機１を移送する際にその部分に荷重を掛けることが許容される部分であり、例えば「ずり降ろし面」といったような表示がなされている。この梱包材３は、荷重受け部３ａとこの荷重受け部３ａと対向する貯湯式給湯機１の対向部２０との間に間隔を空けた状態で貯湯式給湯機１の周囲に配置される。なお、梱包材３の材質としては、ダンボールが用いられる。
【００１４】
ここで、貯湯式給湯機１について説明すると、貯湯式給湯機１は、対向部２０を側面に有する柱形状を有するものである。具体的には、貯湯式給湯機１は、直方体形状を有し、４つの方向を向く側面を有する。貯湯式給湯機１は、外装体などと呼ばれる筐体の内部にタンクや給湯に用いられる配管や弁といった機能部品が収容されており、これらの機能部品をメンテナンスしたり操作したりするために、筐体の一部が開放可能とされている。一般的には、このような筐体が開放可能とされた部分が前面と呼ばれ、これと対向する位置にある面が背面と呼ばれており、この背面が上述した対向部２０に相当する。筐体は、一般的に金属板で構成され、その前面は、取り外し可能なパネルによって構成されている。貯湯式給湯機１の移送の際には、この筐体が変形、破損することがあるため、所定の梱包構造によって保護している。
【００１５】
また、緩衝材５は、梱包材３の荷重受け部３ａとこの荷重受け部３ａと対向する貯湯式給湯機１の対向面との間に配置されるものであり、梱包材３とは別体で構成される。緩衝材５を梱包材３と別体とすることで、梱包材３自体の容積が増えてしまうのを防止できる。緩衝材５は、図１に示すように、貯湯式給湯機１の対向面全体に対応して設けられる。材質としては、発泡スチロールが用いられる。なお、緩衝材５は、梱包に先立って梱包材３に固定される。
【００１６】
また、端部被覆材４は、柱形状の貯湯式給湯機１の端部を覆うものである。ここで、この端部は、貯湯式給湯機１を設置した際に高さ方向上側に位置するため一般的に天井部などと呼ばれ、これに応じて端部被覆材４は一般的に天キャップなどと呼ばれる。端部被覆材４は、貯湯式給湯機１の端部に対向して配置される基部４ａと、貯湯式給湯機１の側面を覆うように基部４ａから延出する延出部４ｂとを有する。梱包材３を貯湯式給湯機１の周囲に配置した際には端部被覆材４の延出部４ｂが梱包材３で覆われる状態となる。
【００１７】
なお、端部被覆材４で貯湯式給湯機１の端部を覆った状態で周囲に梱包材３を配置すると、梱包材３と貯湯式給湯機１の側面との間には空間が形成され、この空間に端部被覆材４の延出部４ｂと緩衝材５とが配置される状態となる。また、貯湯式給湯機１の背面側（対向部２０側）では、端部被覆材４の延出部４ｂと緩衝材５とが配置されるが、これら端部被覆材４の延出部４ｂ及び緩衝材５は、互いに干渉しない大きさに設定され、且つ、互いに干渉しないように配置される。
【００１８】
図２に貯湯式給湯機１の外周を、梱包材３で梱包する手順を説明する。貯湯式給湯機１は、図示しない複数本の脚で架台２に固定されている。端部被覆材４は貯湯式給湯機１の天井部分に覆い被さるように取付けられる。このとき、貯湯式給湯機１の全体を被せるような袋（図示しない）を被せた後、端部被覆材４を取付けてもよい。なお、袋としては、ビニール袋が用いられる。
【００１９】
端部被覆材４取付け後に、貯湯式給湯機１及び端部被覆材４の側壁外周を覆い被せるように梱包材３を取付ける。梱包材３には、接着剤や両面テープによって緩衝材５が予め取り付けられている。そして、梱包材３を取付ける際には、緩衝材５が貯湯式給湯機１の背面側（対向部２０側）に位置するように（即ち、貯湯式給湯機１と梱包材３との間に入るように）梱包材３が配置される。
【００２０】
緩衝材５を仮に梱包材３の外側に配置する場合には、緩衝材５が取れてしまわないような工夫や、荷扱いの工夫が必要であるが、緩衝材５を梱包材３の内側に配置すれば、緩衝材５を含めて梱包材３に覆われるため、緩衝材５が容易に脱落することがなく、取り扱い性も向上する。
【００２１】
なお、本発明は上記実施形態に限定されず、本発明の要旨を逸脱しない範囲で適宜変更可能である。例えば、緩衝材５は、梱包材３に固定するのではなく、貯湯式給湯機１の全体を被せるような袋（図示しない）に取付けても良い。
【００２２】
また、緩衝材５の貼付位置、形状は貯湯式給湯機１の背面側（対向部２０側）などの１面に限定するものではなく、全周面、ある面、１部分でも良い。例えば、ずり上げやずり降ろしなどによる筐体の変形や破損の可能性が低いと判断されるところには緩衝材５を設けないが、悪路輸送が事前に想定される場合には、背面側（対向部２０側）以外の部分にも事前に緩衝材を入れることとしても良い。
【００２３】
その他、緩衝材５の貼付位置、形状に関する変形例について説明する。図３（Ａ）のように、貯湯式給湯機１の背面側（対向部２０側）のほぼ全面を覆うように緩衝材５を設けてもよいし、図３（Ｂ）、図３（Ｃ）のように、貯湯式給湯機１の背面側（対向部２０側）の一部を覆うように設けてもよい。また、図３（Ｄ）のように緩衝材５を縦方向に分割して複数設けてもよい。なお、図３（Ａ）〜（Ｄ）は、緩衝材５及び対向部２０の位置関係が分かりやすいように表示したものであり、実際には、緩衝材５は、上述のように梱包材３又は袋（図示しない）に取付けられる。
【００２４】
図４に示すような従来の梱包構造は、貯湯式給湯機１の外装に梱包材１３を１周または複数周重ね巻き後に、更に１／４周重ね巻きし、その上部に端部被覆材１４を備えるものであった。このため、貯湯式給湯機１の外形寸法に対する梱包材を含めた外装寸法が大きく（ｂ+ｂ‘）なり、車輌への積載効率が低下するという問題があった。例えば工場出荷時には、多数の梱包された貯湯式給湯機１を一括して車輌で運搬することがあるが、積載効率が低下すると、車輌に積載することができる貯湯式給湯機の数が少なくなってしまうことがあり得た。一方、上記実施形態に係る梱包構造によれば、積載効率を低下させることなく、車輌の荷台に横積みするときの、ずり上げやずり降ろしの際に荷台との摩擦などによって荷重が掛かっても外装の変形や破損を防止することが可能となる。
【符号の説明】
【００２５】
１  貯湯式給湯機
２  架台
３  梱包材
４  端部被覆材
５  緩衝材
【図１】
2014151915.tif 000003
【図２】
2014151915.tif 000004
【図３−Ａ】
2014151915.tif 000005
【図３−Ｂ】
2014151915.tif 000006
【図３−Ｃ】
2014151915.tif 000007
【図３−Ｄ】
2014151915.tif 000008
【図４】
2014151915.tif 000009